(57)【要約】【課題】設置済みの放送受信装置に対する地上波アナログ放送用チャンネルプリセットテーブルの更新を自動的に実施する。【解決手段】地上波アナログ放送の選局用に用いるチャンネルプリセットテーブル２９ａの更新を指示する更新チャンネルプラン情報がデジタル衛星放送の付属情報に含まれていることをデジタル制御用マイコン２８が検知した場合、通信線２７ａを介して更新チャンネルプラン情報２９ｇに転送し、アナログ制御用マイコン２７が、更新チャンネルプラン情報２９ｇが当該放送受信装置種別を示し、更新すべき放送地域が当該放送受信装置の設置地域を示し、更新用のバージョンを示す更新バージョン番号２９ｇ２が当該放送受信装置のバージョン番号２９ｂよりも新しいことを確認した場合に、タイマを起動し、更新実施日時２９ｇ３の日時に到達した際に、更新チャンネルプリセット情報２９ｇ１によりチャンネルプリセットテーブル２９ａを更新する。【選択図】　　　　図３
2004112239.tif 000002
【特許請求の範囲】
【請求項１】
地上波アナログ放送とデジタル衛星放送との双方の放送信号を受信する放送受信装置において、前記地上波アナログ放送を選局するためのチャンネル設定情報が予め設定されているチャンネルプリセットテーブルを記憶する記憶手段を備え、デジタル衛星放送の付属情報に前記チャンネルプリセットテーブルを更新することを指示する更新チャンネルプラン情報が含まれて送信されてきた場合、送信されてきた前記更新チャンネルプラン情報に含まれている更新チャンネルプリセット情報に基づいて、前記記憶手段に記憶されている前記チャンネルプリセットテーブルを更新することを特徴とする放送受信装置。
【請求項２】
地上波アナログ放送の放送信号を受信する放送受信装置において、前記地上波アナログ放送を選局するためのチャンネル設定情報が予め設定されているチャンネルプリセットテーブルを記憶する記憶手段と、前記地上波アナログ放送を放送する放送局が運営しているサーバ装置と接続する通信回線の通信制御を行なう通信制御手段とを備え、前記通信制御手段を制御することにより、前記サーバ装置から前記チャンネルプリセットテーブルを更新することを指示する更新チャンネルプラン情報が送信されてきた場合、送信されてきた前記更新チャンネルプラン情報に含まれている更新チャンネルプリセット情報に基づいて、前記記憶手段に記憶されている前記チャンネルプリセットテーブルを更新することを特徴とする放送受信装置。
【請求項３】
請求項２に記載の放送受信装置において、前記更新チャンネルプラン情報の送信要求を当該放送受信装置のユーザが指示した場合に、前記通信制御手段を制御することにより、前記サーバ装置に対して前記更新チャンネルプラン情報の送信要求を送信し、前記サーバ装置から前記更新チャンネルプラン情報を受信することを特徴とする放送受信装置。
【請求項４】
請求項１乃至３のいずれかに記載の放送受信装置において、送信されてきた前記更新チャンネルプラン情報に含まれている前記更新チャンネルプリセット情報のうち、更新すべきチャンネルポジションのチャンネル設定情報を順次抽出して、抽出されたチャンネル設定情報に基づいて、地上波アナログ放送の選局確認動作を行ない、予め設定されている閾値以上の受信信号レベルが検知された場合に、前記チャンネル設定情報に基づいて、前記チャンネルプリセットテーブルの該当するチャンネルポジションのチャンネル設定情報を更新することを特徴とする放送受信装置。
【請求項５】
請求項１乃至４のいずれかに記載の放送受信装置において、送信されてきた前記更新チャンネルプラン情報に含まれている前記更新チャンネルプリセット情報に基づいて、前記チャンネルプリセットテーブルを更新した際に、前記チャンネルプリセットテーブルが更新された旨をユーザに通知することを特徴とする放送受信装置。
【請求項６】
請求項１乃至５のいずれかに記載の放送受信装置において、前記更新チャンネルプラン情報が、前記チャンネルプリセットテーブルを更新するためのチャンネル設定情報を有する更新チャンネルプリセット情報の他に、当該更新チャンネルプリセット情報のバージョンを識別するための更新バージョン番号を含み、更に、前記記憶手段に、前記チャンネルプリセットテーブルのバージョンを示すバージョン番号が記憶されており、前記更新チャンネルプラン情報が送信されてきた際に、前記更新チャンネルプラン情報に含まれている前記更新バージョン番号と前記記憶手段に記憶されている前記バージョン番号とを比較し、前記更新バージョン番号が前記バージョン番号よりも新しいバージョンを示している場合に、送信されてきた前記更新チャンネルプラン情報に含まれている前記更新チャンネルプリセット情報に基づいて、前記チャンネルプリセットテーブルを更新することを特徴とする放送受信装置。
【請求項７】
請求項１乃至６のいずれかに記載の放送受信装置において、前記更新チャンネルプラン情報が、前記チャンネルプリセットテーブルを更新すべき放送地域を示す更新用地域コードを含み、前記更新チャンネルプラン情報が送信されてきた際に、前記更新チャンネルプラン情報に含まれている前記更新用地域コードが、当該放送受信装置が設置されている放送地域を示している場合に、送信されてきた前記更新チャンネルプラン情報に含まれている前記更新チャンネルプリセット情報に基づいて、前記チャンネルプリセットテーブルを更新することを特徴とする放送受信装置。
【請求項８】
請求項７に記載の放送受信装置において、前記更新用地域コードが、放送受信装置の設置地域を更に詳細に特定することができる緊急放送用地域識別情報又は郵便番号又は携帯電話・ＰＨＳの通信エリアコードのいずれかからなる詳細地域コードを含むことができることを特徴とする放送受信装置。
【請求項９】
請求項７又は８に記載の放送受信装置において、前記更新チャンネルプラン情報が、前記チャンネルプリセットテーブルを更新すべき放送地域を示す前記更新用地域コードの前記チャンネルプリセット情報のみでなく、当該地上波アナログ放送の放送対象とする全ての放送地域に関する各前記更新用地域コードと該更新用地域コードそれぞれに対応する前記チャンネルプリセット情報とを含み、前記更新チャンネルプラン情報が送信されてきた際に、前記更新チャンネルプラン情報に含まれている各前記更新用地域コードを検索し、当該放送受信装置が設置されている放送地域を示す更新用地域コードが検出された場合に、検出された該更新用地域コードに対応する前記更新チャンネルプリセット情報に基づいて、前記チャンネルプリセットテーブルを更新することを特徴とする放送受信装置。
【請求項１０】
請求項１乃至９のいずれかに記載の放送受信装置において、前記更新チャンネルプラン情報が、前記更新チャンネルプリセット情報により前記チャンネルプリセットテーブルを更新すべき放送受信装置の機種を示す更新用放送受信装置種別を含み、前記更新チャンネルプラン情報が送信されてきた際に、前記更新チャンネルプラン情報に含まれている前記更新用放送受信装置種別が、当該放送受信装置の機種を示している場合に、送信されてきた前記更新チャンネルプラン情報に含まれている前記更新チャンネルプリセット情報に基づいて、前記チャンネルプリセットテーブルを更新することを特徴とする放送受信装置。
【請求項１１】
請求項１乃至１０のいずれかに記載の放送受信装置において、前記更新チャンネルプラン情報が、前記更新チャンネルプリセット情報により前記チャンネルプリセットテーブルを更新すべき更新実施日時を含み、前記更新チャンネルプラン情報が送信されてきた場合、前記更新チャンネルプラン情報に含まれている前記更新実施日時が示す日時に到達した際に、送信されてきた前記更新チャンネルプラン情報に含まれている前記更新チャンネルプリセット情報に基づいて、前記チャンネルプリセットテーブルを更新することを特徴とする放送受信装置。
【請求項１２】
請求項１１に記載の放送受信装置において、前記更新チャンネルプラン情報が送信されてきた際に、当該更新チャンネルプラン情報により前記チャンネルプリセットテーブルを更新すべき旨を示す更新予告情報をユーザに通知することを特徴とする放送受信装置。
【請求項１３】
デジタル衛星放送の放送信号を送信する放送送信装置において、該放送送信装置からのデジタル衛星放送を受信すると共に地上波アナログ放送をも受信することができる放送受信装置に対して、地上波アナログ放送を選局するためのチャンネル設定情報が予め設定されている前記放送受信装置のチャンネルプリセットテーブルを更新することを指示する、更新チャンネルプリセット情報を含む更新チャンネルプラン情報を設定することができる記憶手段を備え、該記憶手段に設定された前記更新チャンネルプラン情報を、デジタル衛星放送の付属情報に含ませて送信することができることを特徴とする放送送信装置。
【請求項１４】
請求項１３に記載の放送送信装置において、地上波デジタル放送の開始あるいは地上波アナログ放送の中継局の変更を含む何らかの要因に基づいて、地上波アナログ放送に関する前記チャンネルプリセットテーブルの更新を必要とする事態が発生した場合に、前記記憶手段に設定すべき前記更新チャンネルプラン情報の設定を当該放送装置の操作者が指示することができる操作入力手段、あるいは、通信回線を介して前記記憶手段に設定すべき前記更新チャンネルプラン情報の設定を実施させることができる通信制御部を備えていることを特徴とする放送送信装置。
【請求項１５】
請求項１３又は１４に記載の放送送信装置において、前記更新チャンネルプラン情報が、更新すべきチャンネル設定情報を有する前記更新チャンネルプリセット情報のみならず、該更新チャンネルプリセット情報のバージョンを識別するための更新バージョン番号、及び／又は、更新すべき放送地域を示す更新用地域コード、及び／又は、該更新チャンネルプリセット情報により前記チャンネルプリセットテーブルを更新すべき放送受信装置の機種を示す更新用放送受信装置種別、及び／又は、該更新チャンネルプラン情報により前記チャンネルプリセットテーブルを更新すべき更新実施日時を含んでいることを特徴とする放送送信装置。
【請求項１６】
請求項１３乃至１５のいずれかに記載の放送送信装置において、前記記憶手段に、更新すべき前記チャンネルプリセット情報を含む前記更新チャンネルプラン情報が新たに設定された場合又は既に設定されている前記更新チャンネルプラン情報が更新された場合に、新たに設定された又は更新された該更新チャンネルプラン情報を、あるいは、新たに設定された又は更新された前記更新チャンネルプラン情報が属する放送受信装置種別に関する全ての前記更新チャンネルプラン情報を、送信することを特徴とする放送送信装置。
【請求項１７】
請求項１３乃至１６のいずれかに記載の放送送信装置において、前記記憶手段に前記更新チャンネルプラン情報が新たに設定された日時又は既に設定されている前記更新チャンネルプラン情報が更新された日時から放送受信装置が前記チャンネルプリセットテーブルを更新すべき更新実施日時に至るまでの間、あるいは、前記放送受信装置が前記チャンネルプリセットテーブルを更新すべき前記更新実施日時から予め定められた期間遡った送信開始日時から前記更新実施日時に至るまでの間、定期的に前記更新チャンネルプラン情報を送信することを特徴とする放送送信装置。
【請求項１８】
請求項１，４乃至１２のいずれか１又は複数に記載の地上波アナログ放送とデジタル衛星放送との双方の放送信号を受信する放送受信装置と、請求項１３乃至１７のいずれか１又は複数に記載のデジタル衛星放送の放送信号を送信する放送送信装置と、前記地上波アナログ放送の放送信号を送信する放送送信装置とからなり、前記地上波アナログ放送を選局するためのチャンネル設定情報が予め設定されている前記放送受信装置のチャンネルプリセットテーブルを自動的に更新することができることを特徴とする放送システム。
【請求項１９】
請求項２乃至１２のいずれか１又は複数に記載の地上波アナログ放送信号を受信する放送受信装置と、前記地上波アナログ放送の放送信号を送信する放送送信装置と、前記地上波アナログ放送を放送する放送局が運営するサーバ装置と、該サーバ装置と前記放送受信装置とを相互に接続することができる通信回線とからなる放送システムにおいて、前記サーバ装置に、前記放送受信装置のチャンネルプリセットテーブルを更新することを指示する、更新チャンネルプリセット情報を含む更新チャンネルプラン情報を設定することができる記憶手段と、前記通信回線の通信制御を行なう通信制御部とを備え、前記記憶手段に前記更新チャンネルプラン情報が新たに設定された際に又は既に設定されている前記更新チャンネルプラン情報が更新された際に、予め登録されている前記放送受信装置に対して、あるいは、前記放送受信装置から通信回線を介して前記更新チャンネルプラン情報の送信要求が受信された際に、該送信要求を送信してきた前記放送受信装置に対して、前記通信制御部を制御して、前記記憶手段に設定されている前記更新チャンネルプラン情報を送信することにより、前記地上波アナログ放送を選局するためのチャンネル設定情報が予め設定されている前記放送受信装置のチャンネルプリセットテーブルを自動的に更新することができることを特徴とする放送システム。
【発明の詳細な説明】
【０００１】
【発明の属する技術分野】
本発明は、放送受信装置、放送送信装置及び放送システムに関し、特に、地上波デジタル放送の開始あるいは地上波アナログ放送中継局の変更や新築ビルディングの建設などの要因により放送受信環境の変化に伴い、更新を必要とする地上波アナログ放送の設定済みチャンネルプリセットテーブルを自動的に更新可能とする、放送受信装置、放送送信装置及び放送システムに関する。
【０００２】
【従来の技術】
一般に、テレビジョン放送信号を受信して画面表示する放送受信装置において、リモコンなどを操作してチャンネルポジションを指定することにより、チャンネルプリセットテーブルに予め設定されている所望のチャンネル設定情報が抽出されて、テレビジョン放送信号の中から所望の周波数帯域のテレビジョン放送信号を選局することができるように構成されている。ここで、チャンネルポジションとチャンネル設定情報との対応関係は、放送受信装置が設置される地域に応じて、チャンネルプリセットと称するチャンネルの設定処理を予め行なうことにより設定されている。また、放送業者などが規定する放送サービス地域が同一の放送サービス地域内に設置される場合であっても、アンテナの向きや周辺環境あるいは放送受信装置の性能によって、プリセットすべきチャンネル設定情報（選局周波数帯域）が異なる場合も生じる。
【０００３】
かかるチャンネルプリセット方法としては、一般に、「オートプリセット方法」と「地域コード設定方法」と「マニュアル設定方法」との３種類が用いられている。いずれの方法によりチャンネルプリセットを行なうかの選択は、例えば、ユーザ（視聴者）がリモコンを用いて「メニュー」画面をブラウン管に画像表示させて、「チャンネルプリセット」を選んだ際に画面表示されてくる案内画面から選択して指定することができる。
【０００４】
ここで、「オートプリセット方法」とは、ユーザ（視聴者）が例えばリモコンを操作して、「オートプリセット」を選択することにより起動されて、放送受信装置の設置場所において受信可能なＶＨＦ帯及びＵＨＦ帯の放送電波信号を自動的に周波数が低い順に順次検知して、チャンネルポジションに順次設定していくものである。
【０００５】
「地域コード設定方法」とは、オートプリセットでは見たいチャンネルが視聴できない場合などにおいて適用されるものであり、ユーザ（視聴者）が例えばリモコンを操作して、「地域コード設定」を選択することにより起動されて、予め放送地域として分割して設定されている各地域を示す複数の地域コードの中から、放送受信装置の設置場所に最も近い放送地域を示す地域コードをユーザ（視聴者）が指定することにより、該放送地域に最適なチャンネル設定情報として予め設定されているチャンネルポジション毎のチャンネル設定情報に自動的に設定するものである。ここに、放送受信装置内には、地域コード毎に対応するチャンネルポジションのチャンネル設定情報が予め設定登録されているが、一般に、かかる地域コードの設定内容やチャンネル設定情報の設定内容は、放送受信装置の機種即ち放送受信装置種別（特に、放送受信装置の製造メーカ）に応じて異なっている。
【０００６】
「マニュアル設定方法」とは、例えば、地域コードが設定されていない地域に設置された場合や、一旦チャンネルプリセットされた後において、他のチャンネルポジションに対応するチャンネル設定情報を追加設定したり、チャンネルポジションにプリセットされているチャンネル設定情報を変更したりする場合に、ユーザ（視聴者）が例えばリモコンを操作して「マニュアル設定」を選択することにより起動されて、チャンネルポジション毎にマニュアルでチャンネル設定情報を設定するものである。
【０００７】
また、かかるチャンネルプリセット方法に関する応用例としては、特許文献１に記載の放送受信装置の例がある。該放送受信装置においては、チャンネルプリセット方法として「地域コード設定方法」を応用した技術が用いられており、まず、当該放送受信装置の設置地域をＧＰＳなどの場所情報取得手段により取得して、次に、該設置地域及び隣接地域におけるチャンネルポジション（放送局）やチャンネル設定情報（選局周波数帯域）に関する選局情報を、衛星放送やインタネットなどの選局取得手段により取得し、取得された選局情報を用いて、自動選局手段により順次選局動作を実施させて、所定の受信レベル以上にある選局情報によりチャンネルプリセットを行なうものである。
【０００８】
更に、チャンネルプリセット方法に関する他の応用例としては、例えば、特許文献２に記載のチャンネル自動プリセット電子機器がある。該チャンネル自動プリセット電子機器は、「オートプリセット方法」と「地域コード設定方法」とを複合させたチャンネルプリセット方法が採用されている。地域別のチャンネルプリセットデータ（即ち、チャンネルポジションとチャンネル設定情報との対応表）をエリアデータＲＯＭに登録しておき、ユーザ（視聴者）がチャンネルプリセットの指示を行なうと、まず、オートプリセット動作を行ない、受信信号が得られるチャンネル設定情報を順次チャンネルプリセットテーブルに設定した後、エリアデータＲＯＭに設定登録されている地域別のチャンネルプリセットデータのチャンネル設定情報と比較して、全てのチャンネル設定情報が一致しているチャンネルプリセットデータを検索して、該チャンネルプリセットデータを用いてチャンネルプリセットテーブルを置換することにより、チャンネル自動プリセット電子機器の設定地域に該当するチャンネルポジション（放送局）に対応した最適のチャンネル設定情報をプリセットするものである。
【０００９】
ところで、１９９６年のＣＳデジタル放送の開始、２０００年のＢＳデジタル放送の開始に引き続き、２００３年からは、地上波デジタル放送も本格導入が開始されようとしており、アナログ放送の時代からデジタル放送の時代へと移行しつつある。ここで、地上波デジタル放送が使用する周波数帯域は、未だ明確にされていないが、放送周波数の割り当てに余裕がない状況から、現在普及している地上波アナログ放送が使用中のＶＨＦ帯（１ＣＨ〜１２ＣＨ）、ＵＨＦ帯（１３ＣＨ〜６２ＣＨ）と重なるＵＨＦ帯のいずれかの周波数帯域を使用せざるを得ないものとして計画されている。
【００１０】
即ち、計画中の周波数帯域としては、例えば１３ＣＨから５２ＣＨまでのＵＨＦ帯のチャンネル設定情報の中から、地上波デジタル放送用のチャンネル設定情報が割り当てられると共に、地上波デジタル放送用に割り当てられたＵＨＦ帯が、地上波アナログ放送において使用中のＵＨＦ帯のチャンネル設定情報と重なっている地域においては、地上波アナログ放送側の周波数帯域を異なる別の周波数帯域にチャンネル設定情報を変更するいわゆる「アナアナ変換処理」を実施するように計画されている。かかるアナアナ変換処理は、地上波アナログ放送を放送している放送送信装置や放送電波信号を中継する中継局の変更のみならず、当然のことながら、各視聴者（ユーザ）宅に設置されている放送受信装置（テレビジョン受像機）においても、チャンネル選局情報として予め設定されているチャンネルプリセットテーブルを変更することが必要である。
【００１１】
なお、アナログ放送からデジタル放送への移行過程においては、従来の地上波アナログ放送受信装置で視聴しているユーザ（視聴者）を保護するために、地上波デジタル放送と地上波アナログ放送を並行して同時に放送するサイマル放送を行なうこととしており、アナログ放送受信装置を用いているユーザ（視聴者）は、該アナログ放送受信装置が設置されている地域によっては、必要に応じて、チャンネルプリセットテーブルを変更する処理を行ないさえすれば、地上波デジタル放送に切り替えることなく、現在視聴している地上波アナログ放送の状態で、放送番組を引き続き継続して視聴することが可能である（例えば、非特許文献１を参照）。
【００１２】
かくのごとく、地上波デジタル放送の開始に伴い、地上波デジタル放送用に割り当てられた周波数帯域が、現在実施されている地上波アナログ放送用の周波数帯域と重なり、いわゆるアナアナ変換処理を行なう必要がある地域においては、前述したいずれかのチャンネルプリセット方法により重なる前記周波数帯域を示すチャンネル設定情報を選局周波数として用いるように予め設定されているチャンネルプリセット情報の更新を行なうことが必要である。
【００１３】
【特許文献１】
特開２００１−２９８６７４号公報（第３−７頁、図６）
【特許文献２】
特開平８−１５４０３９号公報（第３頁、図２）
【非特許文献１】
総務省郵政事業庁「地上デジタル放送懇談会　報告書」
１９９８年１０月２６日、第５章
【００１４】
【発明が解決しようとする課題】
ここで、地上波アナログ放送を受信している放送受信装置において、地上波デジタル放送の開始に伴い、地上波アナログ放送の選局用として予め設定されているチャンネルプリセットテーブルを更新する必要が生じた場合、更新すべきチャンネル設定情報が判明した時点で、放送局のサービスマンがユーザ（視聴者）宅を１軒ずつ訪問してチャンネルプリセット情報の更新依頼を行ない納得を得ることも大変であり、更には、更新依頼に応じて、ユーザ（視聴者）自らが個別に「マニュアル設定方法」に基づいて、更新を必要とするチャンネルポジションに対して手動によりチャンネル設定情報を設定し直すことも、ユーザ（視聴者）に負担がかかってしまう。
【００１５】
また、地上波アナログ放送の周波数帯域が更新された後で、「オートプリセット方法」を用いて、自動的に全てのチャンネルプリセット情報の更新処理を行なうこととしても、スキャン順に放送信号を受信したチャンネル設定情報（選局周波数帯域）を若番順にチャンネルポジションに対応付けて設定してしまい、更に、同じ放送内容である隣接地域からの放送信号も重複して検出して設定してしまったり、更新すべきチャンネル設定情報（選局周波数帯域）を検出する前に、全てのチャンネルポジションに対するチャンネル設定情報に設定が終了してしまったりして、各放送局を示すチャンネルポジションに対応させて、ＵＨＦ帯をも対象として最も受信品質が良いチャンネル設定情報を重複させない状態に設定させることができなく、再度、各ユーザ（視聴者）が、「マニュアル設定方法」を用いて手動で設定し直すことが必要となる。
【００１６】
また、「地域コード設定方法」を用いたチャンネルプリセットを行なわんとしても、予め放送受信装置に設定登録されている地域コード毎の地上波アナログ放送用のチャンネルプリセットテーブル設定用情報は、（如何なるチャンネル設定情報が用いられるかは現時点でも不明である）地上波デジタル放送の登場には対応していない情報であり、地上波デジタル放送に割り当てられたチャンネル設定情報を自動的に変更して設定せんとすることはできなく、地上波デジタル放送用に割り当てられたチャンネル設定情報に対するアナアナ変換処理については、各ユーザ（視聴者）が、「マニュアル設定方法」を用いて手動で設定し直すことが必要となる。
【００１７】
即ち、地上波デジタル放送に割り当てられる周波数帯域（チャンネル設定情報）がＵＨＦ帯の如何なる周波数帯域とされるかは、前述のごとく、現時点では明らかにされておらず、地上波デジタル放送が開始される時点までに市場に登場する地上波アナログ放送用放送受信装置に対しても予め地上波デジタル放送の周波数帯域をも考慮した地上波アナログ放送用のチャンネル設定情報をチャンネルプリセットテーブルに予め設定することは不可能であり、既に視聴に供されている既存の地上波アナログ放送用放送受信装置と同様に、視聴状態に移行した後において、ユーザ（視聴者）自身が地上波デジタル放送の開始に伴うチャンネルプリセットテーブルの設定変更を手動で実施せざるを得ない状況にある。
【００１８】
一方、最近の放送受信装置においては、地上波アナログ放送を受信する地上波受信アンテナ及び地上波用チューナのみならず、ＢＳデジタル放送を受信するＢＳ受信アンテナ及びＢＳ用チューナをも内蔵している放送受信装置が増加してきている。ここで、ＢＳデジタル放送は、ＢＳ衛星を使用して、日本全国を対象として同一の放送電波信号を一斉放送しているものであるが、更に、地震や津波などの緊急事態の発生に備えて、各地域を特定するための地域識別情報である詳細地域コードを用いて、特定地域に対するＢＳデジタル放送であることを指定することも可能になっている。
【００１９】
本発明は、かかる状況に鑑みてなされたものであり、地上波デジタル放送の開始、地上波アナログ放送用中継局の設置変更など何らかの要因の発生に伴い、地上波アナログ放送のチャンネルプリセットテーブルを更新する必要が生じた際に、全国一斉放送を行なうことができるＢＳデジタル放送を利用して、例えば前記地上波デジタル放送に使用されるチャンネル設定情報の登録に伴いアナアナ変換処理を必要とする地域の地上波アナログ放送用のチャンネルプリセット情報（チャンネルプリセットテーブル）の更新を指示する更新チャンネルプラン情報を配信せんとするものであり、既に設置されていて、ＢＳデジタル放送と地上波アナログ放送との双方の放送番組の視聴に供されている放送受信装置のチャンネルプリセットテーブルを自動的に更新設定することを可能にせんとするものである。
【００２０】
ここで、地上波アナログ放送のチャンネルプリセットテーブルの更新を必要とする放送地域を示すために前記更新チャンネルプラン情報に付与されている地域コードは、一般に、放送受信装置種別毎に異なるものであり、更に、一旦、放送受信装置が設置された以降において、地上波アナログ放送信号を中継する中継局の設置状況が変更されたり、あるいは、新たなビルディングの建築などに伴って当該地域の電波受信環境が変わってしまい、地上波アナログ放送信号を受信するチャンネル設定情報として異なる設定をする必要がある地域となった場合に、更に異なる地域に分割する必要があったとしても、同一の地域コードが既に設定されている場合を考慮して、放送受信装置種別に関する情報と共に、更に詳細な地域を示す詳細地域コードも合わせて付与することにより、全国向けに送信される更新チャンネルプラン情報が適用されるべき地域を確実に特定することを可能にせんとするものである。
【００２１】
かかる詳細地域コードとしては、例えば、ＢＳデジタル放送の緊急放送用に付与されている地域識別情報を利用することとしても良いし、郵便番号を利用することとしても良いし、あるいは、携帯電話やＰＨＳ用の基地局のカバー範囲を識別する通信エリアコード（通信セルの識別コード）を利用することとしても良い。
また、チャンネルプリセットテーブルの更新回数が複数回に及ぶ場合も考慮して、前記更新チャンネルプラン情報に更新回数を示す更新バージョン番号を付与することも可能にせんとするものである。
【００２２】
【課題を解決するための手段】
第１の技術手段は、地上波アナログ放送とデジタル衛星放送との双方の放送信号を受信する放送受信装置において、前記地上波アナログ放送を選局するためのチャンネル設定情報が予め設定されているチャンネルプリセットテーブルを記憶する記憶手段を備え、デジタル衛星放送の付属情報に前記チャンネルプリセットテーブルを更新することを指示する更新チャンネルプラン情報が含まれて送信されてきた場合、送信されてきた前記更新チャンネルプラン情報に含まれている更新チャンネルプリセット情報に基づいて、前記記憶手段に記憶されている前記チャンネルプリセットテーブルを更新する放送受信装置とすることを特徴とするものである。
【００２３】
第２の技術手段は、地上波アナログ放送の放送信号を受信する放送受信装置において、前記地上波アナログ放送を選局するためのチャンネル設定情報が予め設定されているチャンネルプリセットテーブルを記憶する記憶手段と、前記地上波アナログ放送を放送する放送局が運営しているサーバ装置と接続する通信回線の通信制御を行なう通信制御手段とを備え、前記通信制御手段を制御することにより、前記サーバ装置から前記チャンネルプリセットテーブルを更新することを指示する更新チャンネルプラン情報が送信されてきた場合、送信されてきた前記更新チャンネルプラン情報に含まれている更新チャンネルプリセット情報に基づいて、前記記憶手段に記憶されている前記チャンネルプリセットテーブルを更新する放送受信装置とすることを特徴とするものである。
【００２４】
第３の技術手段は、前記第２の技術手段に記載の放送受信装置において、前記更新チャンネルプラン情報の送信要求を当該放送受信装置のユーザが指示した場合に、前記通信制御手段を制御することにより、前記サーバ装置に対して前記更新チャンネルプラン情報の送信要求を送信し、前記サーバ装置から前記更新チャンネルプラン情報を受信する放送受信装置とすることを特徴とするものである。
【００２５】
第４の技術手段は、前記第１乃至第３の技術手段のいずれかに記載の放送受信装置において、送信されてきた前記更新チャンネルプラン情報に含まれている前記更新チャンネルプリセット情報のうち、更新すべきチャンネルポジションのチャンネル設定情報を順次抽出して、抽出されたチャンネル設定情報に基づいて、地上波アナログ放送の選局確認動作を行ない、予め設定されている閾値以上の受信信号レベルが検知された場合に、前記チャンネル設定情報に基づいて、前記チャンネルプリセットテーブルの該当するチャンネルポジションのチャンネル設定情報を更新する放送受信装置とすることを特徴とするものである。
【００２６】
第５の技術手段は、前記第１乃至第４の技術手段のいずれかに記載の放送受信装置において、送信されてきた前記更新チャンネルプラン情報に含まれている前記更新チャンネルプリセット情報に基づいて、前記チャンネルプリセットテーブルを更新した際に、前記チャンネルプリセットテーブルが更新された旨をユーザに通知する放送受信装置とすることを特徴とするものである。
【００２７】
第６の技術手段は、前記第１乃至第５の技術手段のいずれかに記載の放送受信装置において、前記更新チャンネルプラン情報が、前記チャンネルプリセットテーブルを更新するためのチャンネル設定情報を有する更新チャンネルプリセット情報の他に、当該更新チャンネルプリセット情報のバージョンを識別するための更新バージョン番号を含み、更に、前記記憶手段に、前記チャンネルプリセットテーブルのバージョンを示すバージョン番号が記憶されており、前記更新チャンネルプラン情報が送信されてきた際に、前記更新チャンネルプラン情報に含まれている前記更新バージョン番号と前記記憶手段に記憶されている前記バージョン番号とを比較し、前記更新バージョン番号が前記バージョン番号よりも新しいバージョンを示している場合に、送信されてきた前記更新チャンネルプラン情報に含まれている前記更新チャンネルプリセット情報に基づいて、前記チャンネルプリセットテーブルを更新する放送受信装置とすることを特徴とするものである。
【００２８】
第７の技術手段は、前記第１乃至第６の技術手段のいずれかに記載の放送受信装置において、前記更新チャンネルプラン情報が、前記チャンネルプリセットテーブルを更新すべき放送地域を示す更新用地域コードを含み、前記更新チャンネルプラン情報が送信されてきた際に、前記更新チャンネルプラン情報に含まれている前記更新用地域コードが、当該放送受信装置が設置されている放送地域を示している場合に、送信されてきた前記更新チャンネルプラン情報に含まれている前記更新チャンネルプリセット情報に基づいて、前記チャンネルプリセットテーブルを更新する放送受信装置とすることを特徴とするものである。
【００２９】
第８の技術手段は、前記第７の技術手段に記載の放送受信装置において、前記更新用地域コードが、放送受信装置の設置地域を更に詳細に特定することができる緊急放送用地域識別情報又は郵便番号又は携帯電話・ＰＨＳの通信エリアコードのいずれかからなる詳細地域コードを含むことができる放送受信装置とすることを特徴とするものである。
【００３０】
第９の技術手段は、前記第７又は第８の技術手段に記載の放送受信装置において、前記更新チャンネルプラン情報が、前記チャンネルプリセットテーブルを更新すべき放送地域を示す前記更新用地域コードの前記チャンネルプリセット情報のみでなく、当該地上波アナログ放送の放送対象とする全ての放送地域に関する各前記更新用地域コードと該更新用地域コードそれぞれに対応する前記チャンネルプリセット情報とを含み、前記更新チャンネルプラン情報が送信されてきた際に、前記更新チャンネルプラン情報に含まれている各前記更新用地域コードを検索し、当該放送受信装置が設置されている放送地域を示す更新用地域コードが検出された場合に、検出された該更新用地域コードに対応する前記更新チャンネルプリセット情報に基づいて、前記チャンネルプリセットテーブルを更新する放送受信装置とすることを特徴とするものである。
【００３１】
第１０の技術手段は、前記第１乃至第９の技術手段のいずれかに記載の放送受信装置において、前記更新チャンネルプラン情報が、前記更新チャンネルプリセット情報により前記チャンネルプリセットテーブルを更新すべき放送受信装置の機種を示す更新用放送受信装置種別を含み、前記更新チャンネルプラン情報が送信されてきた際に、前記更新チャンネルプラン情報に含まれている前記更新用放送受信装置種別が、当該放送受信装置の機種を示している場合に、送信されてきた前記更新チャンネルプラン情報に含まれている前記更新チャンネルプリセット情報に基づいて、前記チャンネルプリセットテーブルを更新する放送受信装置とすることを特徴とするものである。
【００３２】
第１１の技術手段は、前記第１乃至第１０の技術手段のいずれかに記載の放送受信装置において、前記更新チャンネルプラン情報が、前記更新チャンネルプリセット情報により前記チャンネルプリセットテーブルを更新すべき更新実施日時を含み、前記更新チャンネルプラン情報が送信されてきた場合、前記更新チャンネルプラン情報に含まれている前記更新実施日時が示す日時に到達した際に、送信されてきた前記更新チャンネルプラン情報に含まれている前記更新チャンネルプリセット情報に基づいて、前記チャンネルプリセットテーブルを更新する放送受信装置とすることを特徴とするものである。
【００３３】
第１２の技術手段は、前記第１１の技術手段に記載の放送受信装置において、前記更新チャンネルプラン情報が送信されてきた際に、当該更新チャンネルプラン情報により前記チャンネルプリセットテーブルを更新すべき旨を示す更新予告情報をユーザに通知する放送受信装置とすることを特徴とするものである。
【００３４】
第１３の技術手段は、デジタル衛星放送の放送信号を送信する放送送信装置において、該放送送信装置からのデジタル衛星放送を受信すると共に地上波アナログ放送をも受信することができる放送受信装置に対して、地上波アナログ放送を選局するためのチャンネル設定情報が予め設定されている前記放送受信装置のチャンネルプリセットテーブルを更新することを指示する、更新チャンネルプリセット情報を含む更新チャンネルプラン情報を設定することができる記憶手段を備え、該記憶手段に設定された前記更新チャンネルプラン情報を、デジタル衛星放送の付属情報に含ませて送信することができる放送送信装置とすることを特徴とするものである。
【００３５】
第１４の技術手段は、前記第１３の技術手段に記載の放送送信装置において、地上波デジタル放送の開始あるいは地上波アナログ放送の中継局の変更を含む何らかの要因に基づいて、地上波アナログ放送に関する前記チャンネルプリセットテーブルの更新を必要とする事態が発生した場合に、前記記憶手段に設定すべき前記更新チャンネルプラン情報の設定を当該放送装置の操作者が指示することができる操作入力手段、あるいは、通信回線を介して前記記憶手段に設定すべき前記更新チャンネルプラン情報の設定を実施させることができる通信制御部を備えている放送送信装置とすることを特徴とするものである。
【００３６】
第１５の技術手段は、前記第１３又は第１４の技術手段に記載の放送送信装置において、前記更新チャンネルプラン情報が、更新すべきチャンネル設定情報を有する前記更新チャンネルプリセット情報のみならず、該更新チャンネルプリセット情報のバージョンを識別するための更新バージョン番号、及び／又は、更新すべき放送地域を示す更新用地域コード、及び／又は、該更新チャンネルプリセット情報により前記チャンネルプリセットテーブルを更新すべき放送受信装置の機種を示す更新用放送受信装置種別、及び／又は、該更新チャンネルプラン情報により前記チャンネルプリセットテーブルを更新すべき更新実施日時を含んでいる放送送信装置とすることを特徴とするものである。
【００３７】
第１６の技術手段は、前記第１３乃至第１５の技術手段のいずれかに記載の放送送信装置において、前記記憶手段に、更新すべき前記チャンネルプリセット情報を含む前記更新チャンネルプラン情報が新たに設定された場合又は既に設定されている前記更新チャンネルプラン情報が更新された場合に、新たに設定された又は更新された該更新チャンネルプラン情報を、あるいは、新たに設定された又は更新された前記更新チャンネルプラン情報が属する放送受信装置種別に関する全ての前記更新チャンネルプラン情報を、送信する放送送信装置とすることを特徴とするものである。
【００３８】
第１７の技術手段は、前記第１３乃至第１６の技術手段のいずれかに記載の放送送信装置において、前記記憶手段に前記更新チャンネルプラン情報が新たに設定された時又は既に設定されている前記更新チャンネルプラン情報が更新された日時から放送受信装置が前記チャンネルプリセットテーブルを更新すべき更新実施日時に至るまでの間、あるいは、前記放送受信装置が前記チャンネルプリセットテーブルを更新すべき前記更新実施日時から予め定められた期間遡った送信開始日時から前記更新実施日時に至るまでの間、定期的に前記更新チャンネルプラン情報を送信する放送送信装置とすることを特徴とするものである。
【００３９】
第１８の技術手段は、前記第１，４乃至第１２の技術手段のいずれか１又は複数に記載の地上波アナログ放送とデジタル衛星放送との双方の放送信号を受信する放送受信装置と、前記第１３乃至第１７の技術手段のいずれか１又は複数に記載のデジタル衛星放送の放送信号を送信する放送送信装置と、前記地上波アナログ放送の放送信号を送信する放送送信装置とからなり、前記地上波アナログ放送を選局するためのチャンネル設定情報が予め設定されている前記放送受信装置のチャンネルプリセットテーブルを自動的に更新することができる放送システムとすることを特徴とするものである。
【００４０】
第１９の技術手段は、前記第２乃至第１２の技術手段のいずれか１又は複数に記載の地上波アナログ放送信号を受信する放送受信装置と、前記地上波アナログ放送の放送信号を送信する放送送信装置と、前記地上波アナログ放送を放送する放送局が運営するサーバ装置と、該サーバ装置と前記放送受信装置とを相互に接続することができる通信回線とからなる放送システムにおいて、前記サーバ装置に、前記放送受信装置のチャンネルプリセットテーブルを更新することを指示する、更新チャンネルプリセット情報を含む更新チャンネルプラン情報を設定することができる記憶手段と、前記通信回線の通信制御を行なう通信制御部とを備え、前記記憶手段に前記更新チャンネルプラン情報が新たに設定された際に又は既に設定されている前記更新チャンネルプラン情報が更新された際に、予め登録されている前記放送受信装置に対して、あるいは、前記放送受信装置から通信回線を介して前記更新チャンネルプラン情報の送信要求が受信された際に、該送信要求を送信してきた前記放送受信装置に対して、前記通信制御部を制御して、前記記憶手段に設定されている前記更新チャンネルプラン情報を送信することにより、前記地上波アナログ放送を選局するためのチャンネル設定情報が予め設定されている前記放送受信装置のチャンネルプリセットテーブルを自動的に更新することができる放送システムとすることを特徴とするものである。
【００４１】
而して、前記の各技術手段によれば、地上波アナログ放送とデジタル衛星放送の双方の放送信号を受信することができる放送受信装置の場合、デジタル衛星放送の放送信号を用いて、地上波アナログ放送の選局に用いるチャンネルプリセットテーブルの更新を指示する更新チャンネルプラン情報が全放送地域に対して一斉送信されることにより、該更新チャンネルプラン情報を受信した放送受信装置においてチャンネルプリセットテーブルの更新が必要であることが検知された際に、該更新チャンネルプラン情報に含まれている更新用の更新チャンネルプリセット情報に基づいて、自動的にチャンネルプリセットテーブルを更新することが可能であり、既に設置済みの放送受信装置であっても、かかる更新チャンネルプラン情報を受信することにより、人手を介することなく、自動的に、更新後のチャンネルプリセットテーブルに基づいて、地上波アナログ放送の放送番組を視聴することが可能である。
【００４２】
また、地上波アナログ放送を受信すると共に通信回線を用いて通信情報を送受信することができる放送受信装置の場合、地上波アナログ放送を放送する放送局が運営しているサーバ装置に通信回線を介してアクセスして、地上波アナログ放送の選局に用いるチャンネルプリセットテーブルの更新を指示する更新チャンネルプラン情報を受信することにより、該更新チャンネルプラン情報を受信した放送受信装置において、自動的にチャンネルプリセットテーブルを更新することが可能であり、既に設置済みの放送受信装置であっても、かかる更新チャンネルプラン情報を受信することにより、人手を介することなく、自動的に、地上波アナログ放送の更新後のチャンネルプリセットテーブルに基づいて、地上波アナログ放送の放送番組を視聴することが可能である。
【００４３】
また、前記更新チャンネルプラン情報には、更新すべきチャンネル設定情報を有する更新チャンネルプリセット情報のみならず、該更新チャンネルプリセット情報によりチャンネル設定情報を更新すべき放送受信装置の機種を示す更新用放送受信装置種別、及び／又は、更新すべき放送地域を示す更新用地域コード、及び／又は、該更新チャンネルプリセット情報のバージョンを識別するための更新バージョン番号を含むことを可能としており、かかる更新チャンネルプラン情報を受信した放送受信装置においては、更新対象の放送受信装置であるか否か、更新対象の放送地域に設置されているか否か、更新すべきバージョンを示しているか否かを自動的に選別することを可能としており、各放送受信装置が対象とする更新チャンネルプラン情報のみに基づいてチャンネルプリセットテーブルを１回のみならず複数回に亘って自動的に更新することができる。
【００４４】
更には、前記更新チャンネルプラン情報には、チャンネルプリセットテーブルを更新すべき更新実施日時を含ませることも可能としており、更新すべき日時に至った時点で、確実にチャンネルプリセットテーブルを更新して、更新後のチャンネル設定情報に基づいて、地上波アナログ放送の放送番組を視聴することが可能である。
【００４５】
【発明の実施の形態】
以下に、本発明に係る放送受信装置、放送送信装置及び放送システムの実施形態について、図面を参照しながらその一例を説明する。まず、本発明に係る放送システムの一例として、地上波アナログ放送局とＢＳデジタル放送用の放送地上局とからそれぞれ送信されてくる地上波アナログ放送とＢＳデジタル放送との双方の放送信号を一つの放送受信装置にて受信している放送システムの構成例を例にとって図１を用いて説明する。
ここに、本発明においては、ＢＳデジタル放送の代わりに、ＣＳデジタル放送を用いるデジタル衛星放送としても勿論構わないし、地上波アナログ放送として、地上波用アンテナを用いる代わりに、ＣＡＴＶケーブルを接続したＣＡＴＶアナログ放送であっても構わない。
【００４６】
図１は、本発明に係る放送システムのシステム構成の一例を示すシステム構成図である。図１において、放送番組を放送する放送局としては、各種の放送番組や番組情報などの付属情報をＢＳ放送衛星４を介して放送するＢＳ放送送信装置（放送送信装置）１を備えている少なくとも１つのＢＳ地上放送局１ｂと、地上波を用いて放送する地上波放送送信装置３を備えている複数の地上波放送局３ｂとが含まれている。ここに、第１の放送手段を構成するＢＳ地上放送局１ｂは、ＢＳデジタル放送を放送する放送局であり、ＢＳ用送信アンテナ１ａを介してＢＳ放送衛星４に対してアップリンクの放送電波を送信し、ＢＳ放送衛星４からＢＳデジタル放送として同一の放送番組や番組情報を全国に対して提供しているキー局となる。一方、第２の放送手段を構成する地上波放送局３ｂは、各地方毎に設けられていて、当該地方に対する放送番組を放送する地方局であり、地上波送信アンテナ３ａ又は地上波電波塔５（中継局）を介して、第１の放送電波信号であるＢＳデジタル放送電波信号とは異なる周波数帯即ちＶＨＦ帯及び／又はＵＨＦ帯の地上波放送電波信号を出力し、地上波アナログ放送を行なう放送局である。
【００４７】
視聴者の各家２ｃには、ＢＳデジタル放送電波信号を受信するＢＳ受信アンテナ２ａと、地上波アナログ放送電波信号を受信する地上波受信アンテナ２ｂとが設置されており、両方のアンテナ２ａ，２ｂは共に同一の放送受信装置（テレビジョン受像機）２に接続されており、視聴者の選局操作により、ＢＳデジタル放送、地上波アナログ放送のいずれに属する放送番組でも、同一のブラウン管にて視聴することができる。
【００４８】
次に、ＢＳ地上放送局１ｂに備えられている放送送信装置１について、図２を用いて説明する。ここに、図２は、本発明に係る放送送信装置の構成の一例を、ＢＳデジタル放送送信装置を例にとって示すブロック構成図であり、本発明に関わるブロックを中心に記載している。
図２に示すように、放送送信装置１は、入力されてきたビデオ信号を圧縮符号化するビデオエンコーダ１１と入力されてきたオーディオ信号を圧縮符号化するオーディオエンコーダ１２と入力されてきたデータ信号を圧縮符号化するデータエンコーダ１３との各出力信号を多重化すると共に、誤り訂正符号の付与などの処理を施してトランスポートストリームＴＳを生成する多重化部１４と、生成されたトランスポートストリームＴＳに対してＢＳ放送電波特性に適したデジタル変調処理例えば８ＰＳＫ（８　Ｐｈａｓｅ　　Ｓｈｉｆｔ　Ｋｅｙｉｎｇ）変調処理を施して、ＢＳデジタル放送信号を生成する変調部１５と、生成されたＢＳデジタル放送信号を放送電波信号として送信するＢＳ用送信アンテナ１ａとを備えている。
また、放送送信装置１は、当該放送送信装置全体の動作を制御する制御ＣＰＵ１６と、該制御ＣＰＵ１６の動作用の各種情報を蓄積しているメモリ１７と、当該放送送信装置１の操作者が任意の操作指示を制御ＣＰＵ１６に対して入力することができる操作入力部１８とを備えている。
【００４９】
多重化部１４においては、各エンコーダ１１，１２，１３からの圧縮デジタルデータのビットストリームをパケット化して、ＭＰＥＧ２に準拠したトランスポートストリームＴＳを生成する際に、制御ＣＰＵ１６からは、メモリ１７の更新チャンネルプランテーブル１７ａに設定登録されている更新チャンネルプラン情報や番組の紹介用番組情報や放送サービスエリア情報など、更には、時計情報などのごとき各種情報をも合わせて多重化する。
【００５０】
ここに、更新チャンネルプランテーブル１７ａとは、例えば、図５に示すような構成からなっており、例えば地上波デジタル放送などの開始により、地上波アナログ放送のチャンネルプリセット状態を更新する必要がある場合に、更新すべきチャンネル設定情報を含む更新チャンネルプリセット情報が設定登録されているテーブルであり、例えば、操作者が、操作入力部１８を操作することにより、制御用ＣＰＵ１６を介してメモリ１７の更新チャンネルプランテーブル１７ａに設定登録することができる。
【００５１】
図５のメモリ構成図に一例を示すように、更新チャンネルプランテーブル１７ａは、放送受信装置の種別を示す受信装置種別１７ａ１、放送サービス地域を示す地域コード１７ａ２、該地域コード１７ａ２を細分する場合に備えて更に詳細な地域に分類することが可能な詳細地域コード１７ａ３、各地域における地上波アナログ放送のチャンネルプリセット情報を更新すべき実施日時を示す更新実施日時１７ａ４、各地域におけるチャンネルプリセット情報の更新バージョンを示す更新バージョン番号１７ａ５、及び、更新すべきチャンネルプリセット状態を示す更新チャンネルプリセット情報１７ａ６とからなる更新チャンネルプラン情報１７ａ０の集合体から構成されている。ここで、更新チャンネルプリセットテーブル１７ａに登録すべき情報は、更新チャンネルプリセット情報１７ａ６を放送受信装置に備えられている受信回路部の受信性能に応じて独自の状態に設定可能とするように、更には、地域コード１７ａ２を放送受信装置の機種毎に（特に、放送受信装置の製造メーカ毎に）任意に設定可能とするように、受信装置種別１７ａ１が備えられており、例えば、図５に示すように、Ａ社製品の型番Ａ１を示す受信装置種別００１に対して、各種の情報を個別に設定することができる。而して、地域コード１７ａ２を、受信装置種別１７ａ１毎に任意に付与することができることとなり、例えば、図５においては、受信装置種別００１の放送受信装置の場合には、札幌００１、旭川０４８、東京０１３などの地域コードが付与されている。
【００５２】
更に、詳細地域コード１７ａ３は、地域コード１７ａ２のみでは更新チャンネルプリセット情報１７ａ６を特定することができない事態が発生する場合に備えて、放送サービス地域を更に詳細に分割することを可能とするために、地域コード１７ａ２に付加しているコードであり、例えば、図５においては、東京（地域コード０１３）の場合は、都区内（詳細地域コード０００１）と八王子（詳細地域コード００１０）とを区別して、更新チャンネルプリセット情報１７ａ６としてそれぞれ異なるチャンネル設定情報を設定登録することを可能にしている場合を例示している。ここで、詳細地域コード１７ａ３としては、例えば、郵便番号が示す地域特定情報や、携帯電話やＰＨＳの電話番号から特定される基地局毎の通信エリアコードや、あるいは、緊急用ＢＳデジタル放送の際に用いられる緊急放送用地域識別情報などを用いることとしても良い。
【００５３】
また、更新実施日時１７ａ４は、例えば地上波デジタル放送の開始などに伴い、地上波アナログ放送用として今まで使用していたチャンネル設定情報を他のチャンネル設定情報に変更するいわゆる「アナアナ変換」を実施する必要がある日時を登録するものであり、該更新実施日時に至った際に、更新すべきチャンネル設定情報が設定登録されている更新チャンネルプリセット情報１７ａ６に従って、該当する各放送受信装置のチャンネルプリセットテーブルを更新する必要がある。
【００５４】
また、更新バージョン番号１７ａ５は、チャンネルプリセットテーブルの更新が１回のみならず、複数回行なわれる場合にも対応可能なように、更新回数を示すバージョンを設定登録しているものであり、例えば、地上波デジタル放送の開始に伴い、チャンネルプリセットテーブルの更新処理が発生する場合のみならず、中継局の変更やビルディングの新築などに伴い、地上波アナログ放送の受信環境が変化した場合にも対応可能としており、当該更新バージョン番号よりも古いバージョン番号のチャンネルプリセットテーブルが設定されている放送受信装置の場合には、更新すべきチャンネル設定情報が設定登録されている更新チャンネルプリセット情報１７ａ６に従ってチャンネルプリセットテーブルを更新する必要があることを示している。
【００５５】
ここで、更新チャンネルプリセット情報１７ａ６は、放送受信装置のリモコンのチャンネルポジション１，２，３，…，１２にそれぞれ対応する位置で受信される放送信号の選局用周波数帯域を示すチャンネル設定情報を更新設定すべき情報として登録されているものであり、例えば、東京都八王子市（地域コード０１３、詳細地域コード００１０）の地域におけるチャンネルポジション１，２，３，…，１２にそれぞれ対応するチャンネル設定情報としては、５８ＣＨ，なし，５５ＣＨ，…，４８ＣＨのＵＨＦ帯に、更新バージョン番号１７ａ５がＶｅｒ．００２の場合においては、それぞれ設定（更新）すべき旨が設定登録されている。
なお、更新チャンネルプリセット情報１７ａ６は、チャンネルポジション１，２，３，…，１２のいずれか一つでも、チャンネル設定情報を更新すべき状態にある場合には、更新バージョン番号１７ａ５が更新されて、チャンネルプリセットテーブルの更新処理を実施すべきことを示すようにしている。
【００５６】
かかる構成からなる更新チャンネルプランテーブル１７ａの中に放送受信装置のチャンネルプリセットテーブルを更新すべき更新チャンネルプラン情報が新たに追加設定された場合、あるいは、既に設定されていた更新チャンネルプラン情報が更新設定された場合は、該更新チャンネルプラン情報は放送送信装置１から予め定められたトランスポートストリームＴＳのＳＩ（Ｓｅｒｖｉｃｅ　Ｉｎｆｏｒｍａｔｉｏｎ）情報に定期的に含ませて送信することとしても良いが、更新チャンネルプランテーブル１７ａに対して追加設定又は更新設定（即ち更新チャンネルプランテーブル１７ａの更新）がなされた以降、更新実施日時に到達するまでの間、定期的に、トランスポートストリームＴＳのＳＩ情報に含ませて送信しても良い。
【００５７】
あるいは、更新チャンネルプランテーブル１７ａに対して追加設定又は更新設定（即ち更新チャンネルプランテーブル１７ａの更新）がなされた後において、更新チャンネルプランテーブル１７ａの更新実施日時１７ａ４に設定されている日時から予め定められた期間（例えば、３ヶ月前）遡った送信開始日時から更新実施日時に到達するまでの間、定期的に、トランスポートストリームＴＳのＳＩに含ませて送信することとしても良い。
【００５８】
なお、本実施例においては、前述のごとく、地上波アナログ放送用のチャンネルプリセット情報の更新情報（更新チャンネルプリセット情報１７ａ６）を含む更新チャンネルプラン情報１７ａ０をメモリ１７の更新チャンネルプリセットテーブル１７ａに登録している例を示しているが、本発明は、かかる場合のみに限定されているものではない。例えば、ＢＳデジタル放送のトランスポンダやトランスポンダ内のチャンネルが変更されるなどの状況が発生する場合にも全く同様に、地域コード（全国を示す地域コード、例えば、ａｌｌ“０”）、更新実施日時、受信衛星番号、トランスポンダ番号、帯域幅、受信周波数、変調方式などを、予め更新チャンネルプランテーブル１７ａと同様なテーブルに登録するようにすることも可能である。
【００５９】
次に、図７に示すフローチャートに基づいて、各地域に設置されている放送受信装置におけるチャンネルプリセットテーブルの更新が必要となった際に、放送送信装置１においてチャンネルプリセットテーブルの更新情報を示す更新チャンネルプラン情報１７ａ０を送信する送信処理について、更に説明する。なお、図７は、放送送信装置１における更新チャンネルプラン情報１７ａ０の送信処理を説明するためのフローチャートであり、図２には図示されていないタイマからの時刻情報を制御ＣＰＵ１６が受信することにより、定期的に起動されている場合について示している。
【００６０】
なお、ここでは、更新チャンネルプランテーブル１７ａに設定登録された更新実施日時１７ａ４よりも予め定められた期間（例えば、３ヶ月前）遡った日時以降に、更新実施日時１７ａ４に到達するまでの間、即ち、送信期間に該当する期間の間、更新チャンネルプラン情報１７ａ０を送信する動作を定期的に繰り返す場合について説明することとする。また、送信する更新チャンネルプラン情報１７ａ０としては、更新チャンネルプリセットテーブル１７ａに設定されている更新チャンネルプラン情報１７ａ０のうち、送信期間に該当する期間内（即ち、更新実施日時１７ａ４よりも予め定められた期間遡った日時以降、更新実施日時１７ａ４に到達するまでの間）にある更新チャンネルプラン情報１７ａ０（受信装置種別１７ａ１、地域コード１７ａ２及び詳細地域コード１７ａ３、更新実施日時１７ａ４、更新バージョン番号１７ａ５、及び、更新チャンネルプリセット情報１７ａ６の各情報）を送信する場合を示している。
【００６１】
しかし、本発明は、かかる送信期間に該当する期間の更新チャンネルプラン情報１７ａ０のみを送信する場合に限るものではなく、例えば、放送信号として送信する情報量が増大するものの、送信期間に該当する期間内にある更新チャンネルプラン情報１７ａ０が一つでも存在している場合、更新チャンネルプラン情報１７ａ０が属する受信装置種別１７ａ１に関する更新チャンネルプラン情報１７ａ０全てを送信することとしても良いし、更新すべき更新チャンネルプラン情報１７ａ０の地域コードが示す放送地域に隣接する放送地域に関する更新チャンネルプラン情報１７ａ０も合わせて送信することとしても良い。かかる場合にあっては、更新すべき更新チャンネルプラン情報１７ａ０に基づくチャンネルプリセットテーブルの更新を実施した際に、放送受信装置の設置環境によって受信レベルが十分に得られないような場合が生じたとしても、受信レベルを十分確保可能な代替の更新チャンネルプラン情報１７ａ０を用いて、チャンネルプリセットテーブルを更新することが可能である。
【００６２】
図７において、まず、メモリ１７に設定登録されている更新チャンネルプランテーブル１７ａ（前述のごとく、操作者が操作入力部１８を介して設定登録するか、あるいは、図示していない通信手段を介して設定登録されている）から最初の受信装置種別１７ａ１を読み出し（ステップＳ１）、更に、該受信装置種別１７ａ１内に属する更新チャンネルプラン情報１７ａ０内の更新実施日時１７ａ４を読み出す（ステップＳ２）。次に、現在の日時が、読み出した更新実施日時１７ａ４により予め定められている送信期間（即ち、更新実施日時１７ａ４よりも予め定められた期間遡った送信開始日時から更新実施日時１７ａ４に至るまでの期間）内にあるか否か確認する（ステップＳ３，Ｓ４）。
【００６３】
即ち、まず、更新実施日時１７ａ４よりも予め定められた期間遡った送信開始日時に至っているか確認し（ステップＳ３）、至っている場合（ステップＳ３のＹＥＳ）、次に、更新実施日時１７ａ４を既に経過しているか否かを確認する（ステップＳ４）。更新実施日時１７ａ４を経過していない限り（ステップＳ４のＮＯ）、送信すべき所定の送信期間内にあるものとして、当該更新チャンネルプリセット情報１７ａ０の送信処理を行なうために、ステップＳ５に移行するが、一方、更新実施日時１７ａ４よりも予め定められた期間遡った送信開始日時に至っていない場合（ステップＳ３のＮＯ）や、更新実施日時１７ａ４を既に経過している状態にある場合（ステップＳ４のＹＥＳ）、当該受信装置種別１７ａ１に属する次の更新チャンネルプラン情報１７ａ０の更新実施日時１７ａ４を確認するために、ステップＳ８に移行する。
【００６４】
ステップＳ５においては、更新チャンネルプランテーブル１７ａから、送信期間内に該当する更新チャンネルプラン情報１７ａ０（即ち、受信装置種別１７ａ１、地域コード１７ａ２、詳細地域コード１７ａ３、更新実施日時１７ａ４、更新バージョン番号１７ａ５、及び、更新チャンネルプリセット情報１７ａ６の各情報）を読み出し、メモリ１７内の送信バッファ１７ｂに設定する（ステップＳ５）。送信バッファ１７ｂに設定された更新チャンネルプラン情報１７ａ０は、制御ＣＰＵ１６から適時多重化部１４に送出されて、トランスポートストリームパケット（ＴＳパケット）に組み立てられた後（ステップＳ６）、変調部１５にて、ＢＳ衛星放送電波に適する信号形式に変調されて、ＢＳ用送信アンテナ１ａから送信される（ステップＳ７）。
【００６５】
次に、更に、確認していない更新チャンネルプラン情報１７ａ０が、当該受信装置種別１７ａ１にまだ存在しているか否かが更新チャンネルプランテーブル１７ａを参照して確認され（ステップＳ８）、まだ、確認すべき更新チャンネルプラン情報１７ａ０が存在している場合には（ステップＳ８のＮＯ）、ステップＳ２に復帰するが、全ての更新チャンネルプラン情報１７ａ０の確認が終了している場合（ステップＳ８のＹＥＳ）、全ての受信装置種別１７ａ１に対して検索処理が終了しているか確認し（ステップＳ９）、まだ終了していない場合は（ステップＳ９のＮＯ）、ステップＳ１に戻り、次の受信装置種別１７ａ１に関する処理を繰り返し、全ての受信装置種別１７ａ１についての処理が終了している場合（ステップＳ９のＹＥＳ）、更新チャンネルプラン情報１７ａ０の送信処理を終了する。
【００６６】
なお、図７のフローチャートにおいては、送信期間に該当する期間内（即ち、更新実施日時１７ａ４よりも予め定められた期間遡った送信開始日時から更新実施日時１７ａ４に至るまでの期間内）に相当する更新チャンネルプラン情報１７ａ０のみを送信するようにしているが、前述のごとく、送信すべき更新チャンネルプラン情報１７ａ０が検知された受信装置種別１７ａ１についての更新チャンネルプラン情報１７ａ０を全て送信することとしても良いし、あるいは、送信すべき更新チャンネルプラン情報１７ａ０の地域コード１７ａ２（更に、場合によっては、詳細地域コード１７ａ３）が示す放送地域に隣接する地域に関する当該受信装置種別１７ａ１についての更新チャンネルプラン情報１７ａ０を送信するようにしても良い。送信期間に該当するとされて放送地域が特定された更新チャンネルプラン情報１７ａ０を送信するような場合であっても、かかる隣接地域における更新チャンネルプラン情報１７ａ０を合わせて送信することにより、例えば、電波障害物が介在しているなど、何らかの事情により、該放送地域の更新チャンネルプラン情報１７ａ０に指定されているチャンネルプリセット情報１７ａ６では、受信品質が良くない状況にある放送受信装置にあっては、隣接地域の更新チャンネルプラン情報１７ａ０に基づいて、チャンネルプリセットテーブルの設定変更を行なうことが可能となり、より良好な受信品質を獲得することが可能となる。
【００６７】
次に、図１に示す視聴者（ユーザ）の各家２ｃに設置されている放送受信装置２の構成について、図３のブロック構成図を用いて説明する。ここに、図３は、本発明に係る放送受信装置の構成の一例を示すブロック構成図であり、ＢＳデジタル放送電波信号を受信するＢＳ受信アンテナ２ａと、地上波アナログ放送電波信号を受信する地上波受信アンテナ２ｂとが接続されて、視聴者の選局操作により、いずれの放送電波信号でも、一つの放送受信装置２により受信して映像表示モニタ３２に画面表示させることができる。
【００６８】
図３に示すように、放送受信装置２は、地上波アナログ放送電波信号を受信する地上波受信アンテナ２ｂからの地上波アナログ放送電波信号のうち、視聴者のリモコン３３操作により指定されているチャンネルポジションの放送電波信号を選局して受信する地上波用チューナ２１と、選局受信した放送信号を中間周波数（ＩＦ）に変換して増幅及び検波するＩＦ部２２と、ＩＦ部２２により検波抽出されたアナログビデオ信号を画像処理するアナログビデオ処理部２３ａと検波抽出されたアナログオーディオ信号を音声処理するアナログオーディオ処理部２３ｂとを備え、画像処理されたビデオ信号は、ビデオ出力部３１を介して、映像表示モニタ３２に画面表示され、音声処理されたオーディオ信号は、図示していないオーディオ出力部を介して、図示していないスピーカなどから出力される。
【００６９】
一方、放送受信装置２は、ＢＳデジタル放送電波信号も受信する回路部を備えている。即ち、ＢＳデジタル放送電波信号を受信するＢＳ受信アンテナ２ａからのＢＳデジタル放送電波信号のうち、視聴者のリモコン３３操作により指定されているチャンネルポジションの放送電波信号を選局して受信する衛星用チューナ（ＢＳ用チューナ）２４と、選局受信した放送信号を例えば８ＰＳＫ復調などのデジタル復調により複数のトランスポートストリームパケット（ＴＳパケット）からなるトランスポートストリームＴＳに変換すると共に、誤り訂正処理を施した後、デジタル制御用マイコン２８からの制御に基づいて、特定のトランスポートストリームパケット（ＴＳパケット）から更新チャンネルプラン情報１７ａ０を含む各種付属情報を抽出して、デジタル制御用マイコン２８を介してデジタル制御用メモリ３０に保存する復調・デマルチプレクサ部２５と、復調・デマルチプレクサ部２５により分離されたデジタルビデオ信号を例えばＭＰＥＧ２デコード処理などにより画像処理するデジタルビデオ処理部２６ａと分離されたデジタルオーディオ信号を例えばＭＰＥＧ２デコード処理などにより音声処理するデジタルオーディオ処理部２６ｂとを備え、画像処理されたビデオ信号は、ビデオ出力部３１を介して、映像表示モニタ３２に画面表示され、音声処理されたオーディオ信号は、図示していないオーディオ出力部を介して、図示していないスピーカなどから出力される。
【００７０】
なお、ビデオ出力部３１／音声出力部（図示していない）においては、アナログ制御用マイコン２７及びデジタル制御用マイコン２８からの制御を受けて、アナログビデオ処理部２３ａ／アナログオーディオ処理部２３ｂ又はデジタルビデオ処理部２６ａ／デジタルオーディオ処理部２６ｂからの出力のいずれかが選択されて、選択されたビデオ信号／オーディオ信号がそれぞれ駆動用出力信号に変換されて、映像表示モニタ３２やスピーカに出力される。
また、受信したＢＳデジタル放送電波信号がスクランブルされている場合、デジタルビデオ処理部２６ａやデジタルオーディオ処理部２６ｂにて、デスクランブル処理がなされる。
【００７１】
また、放送受信装置２は、当該放送受信装置２の全体の動作を協調制御しているアナログ制御用マイコン２７とデジタル制御用マイコン２８とを備えており、両者のマイコン２７，２８は互いに通信線２７ａを介して相互通信することができる。なお、アナログ制御用マイコン２７は、主に地上波アナログ放送受信関連の回路部の制御を司り、デジタル制御用マイコン２８は、主にＢＳデジタル放送受信関連の回路部の制御を司っている。また、アナログ制御用マイコン２７とデジタル制御用マイコン２８とのそれぞれが動作するための各種情報をそれぞれに蓄積しているアナログ制御用メモリ２９とデジタル制御用メモリ３０とが備えられている。
【００７２】
更に、視聴者（ユーザ）が選局などの操作指示を入力するリモコン３３からの操作信号例えば赤外線信号を受光する受光部３４が備えられている。
ここで、受光部３４で受光した視聴者の操作指示信号は、アナログ制御用マイコン２７側に入力されており、該操作指示信号が、ＢＳデジタル放送側の操作を指示する操作指示信号であった場合には、通信線２７ａを介して、デジタル制御用マイコン２８側に送信されて、デジタル制御用マイコン２８にて処理される。
【００７３】
なお、図３においては、アナログ制御用マイコン２７とデジタル制御用マイコン２８とを分離すると共に、それぞれのマイコン２７，２８が関連する制御用情報を保存するアナログ制御用メモリ２９とデジタル制御用メモリ３０とを分離して設置する構成を示しているが、本発明は、かかる構成に限るものではなく、両者を統合して、一つの制御用マイコンと該制御用マイコンに接続された一つのメモリとを備えている構成としても勿論構わない。
【００７４】
アナログ制御用メモリ２９とデジタル制御用メモリ３０とは、例えばフラッシュメモリなどの不揮発性メモリであるＥＥＰＲＯＭ（Ｅｌｅｃｔｒｉｃａｌｌｙ　Ｅｒａｓａｂｌｅ　ａｎｄ　　Ｐｒｏｇｒａｍｍａｂｌｅ　　ＲＯＭ）から構成されている。また、図３に示すアナログ制御用メモリ２９とデジタル制御用メモリ３０は、本発明に直接関連するデータのみを記憶している例を示しているが、かかる場合のみに限るものではなく、例えば、受信したＥＰＧ（Ｅｌｅｃｔｒｏｎｉｃ　Ｐｒｏｇｒａｍ　　Ｇｕｉｄｅ）情報や番組情報あるいは録画予約情報などの放送受信に関連する各種データの記憶メモリと共用することも可能である。以下に、図３のアナログ制御用メモリ２９とデジタル制御用メモリ３０に記憶している各データについて説明する。
【００７５】
ＢＳデジタル放送の受信制御に関連する情報を格納しているデジタル制御用メモリ３０には、衛星用チューナ２４のチャンネルポジション毎の選局周波数を格納しているデジタル用チャンネルプリセットテーブル３０ａと受信バッファ３０ｂとが備えられている。復調・デマルチプレクス部２５により分離された更新チャンネルプラン情報１７ａ０を含む各種付属情報は、一旦受信バッファ３０ｂに格納される。受信バッファ３０ｂに格納された各種付属情報は、デジタル制御用マイコン２８により逐次それぞれに適応するデータ形式に加工処理された後、それぞれのデータ領域に蓄積保存されるが、例えば、更新チャンネルプラン情報１７ａ０のごとき地上波アナログ放送関連の受信情報であった場合には、通信線２７ａを介して、アナログ制御用マイコン２７側に送信して、アナログ制御用メモリ２９の所定領域に格納させる。
【００７６】
一方、地上波アナログ放送の受信制御に関連する情報を格納しているアナログ制御用メモリ２９には、地上波用チューナ２１のチャンネルポジション毎の選局周波数を格納しているチャンネルプリセットテーブル２９ａと、該チャンネルプリセットテーブル２９ａのバージョンを示すバージョン番号２９ｂと、当該放送受信装置２が設置されている地上波アナログ放送の放送サービス地域を特定する地域コード２９ｃと、該地域コード２９ｃのみでは放送サービスのチャンネルプリセット情報を特定できない場合に備えて、更に詳細に分割された詳細地域コード２９ｄと、当該放送受信装置２の設置地域に隣接する地域を示す隣接地域コード２９ｅと、当該放送受信装置２の機種を示す受信装置種別２９ｆとが備えられている。
【００７７】
更に、アナログ制御用メモリ２９には、デジタル制御用マイコン２８から通信線２７ａを介して送信されてきた更新チャンネルプラン情報１７ａ０を保存する更新チャンネルプラン情報２９ｇが備えられており、更新チャンネルプリセット情報２９ｇ１、更新バージョン番号２９ｇ２、更新実施日時２９ｇ３などが格納されている。
【００７８】
なお、かかる更新チャンネルプラン情報２９ｇに関する各種情報は、デジタル制御用マイコン２８から通信線２７ａを介して送信されてきた更新チャンネルプラン情報１７ａ０に含まれている更新用受信装置種別１７ａ１がアナログ制御用メモリ２９に設定されている受信装置種別２９ｆが示す当該放送受信装置２と同一の機種を示し、かつ、該更新チャンネルプラン情報１７ａ０に含まれている更新用地域コード１７ａ２（更には、場合によっては、更新用詳細地域コード１７ａ３）が、アナログ制御用メモリ２９に設定されている地域コード２９ｃ（更には、場合によっては、詳細地域コード２９ｄ）と一致しており、更には、該更新チャンネルプラン情報１７ａ０に含まれている更新バージョン番号１７ａ５が、アナログ制御用メモリ２９に設定されているバージョン番号２９ｂよりも新しい番号である場合にあっては、廃棄されることなく、チャンネルプリセット２９ａの更新処理が終了するまでの間、アナログ制御用メモリ２９の更新チャンネルプラン情報２９ｇに保存される。
【００７９】
なお、アナログ制御用メモリ２９に設定している隣接地域コード２９ｅは、当該放送受信装置２が設置されている地域に対応する更新チャンネルプリセット情報２９ｇ１を用いて、チャンネルプリセットテーブル２９ａの更新を行なった場合に、受信放送品質が大幅に低下してしまう事態の発生に備えたものであり、前述したごとく、放送送信装置１からは、更新チャンネルプラン情報１７ａ０として、隣接地域に関する更新チャンネルプラン情報１７ａ０も合わせて送信されてきており、当該放送受信装置２の設置地域に該当する更新チャンネルプリセット情報２９ｇ１を用いてチャンネルプリセットテーブル２９ａの更新を行なおうとした場合に、受信レベルが十分に確保できない場合に、当該放送受信装置２の設置地域に隣接する放送地域に対する更新チャンネルプラン情報１７ａ０を識別するために用いられる。
【００８０】
ここで、アナログ制御用メモリ２９に設定されているチャンネルプリセットテーブル２９ａとバージョン番号２９ｂと地域コード２９ｃと詳細地域コード２９ｄと受信装置種別２９ｆとの各記憶内容を、放送送信装置１から送信されてくる情報（即ち、図５に例示した更新チャンネルプラン情報１７ａ０から更新実施日時１７ａ４のみを除外した情報）と対応付けて、図６に例示している。
図６は、本発明に係る放送受信装置２におけるチャンネルプリセット関連情報の記憶内容の一例を示すものであり、現在のチャンネルプリセット関連の記憶内容（図６（Ａ））と放送送信装置１から送信されてきた更新チャンネルプラン情報１７ａ０の一部（図６（Ｂ））とを対応付けて示している。
【００８１】
即ち、図６に示す例においては、東京八王子地域（即ち、地域コード０１３、詳細地域コード００１０）において、例えば、地上波デジタル放送が開始されるため、今まで使用されているチャンネルプリセット情報を更新する必要があるとして、Ａ社製放送受信装置２の型番Ａ１の機種（即ち、受信装置種別００１）については、新しいバージョン番号（即ち、Ｖｅｒ．００２）のチャンネルプリセット情報を含む更新チャンネルプラン情報１７ａ０が送信されてきており、チャンネルポジション３で今まで使用してきた５２ＣＨのチャンネル設定情報を５５ＣＨに変更して設定することを指示してきている。
【００８２】
次に、図８及び図９に示すフローチャートに基づいて、放送送信装置１からの更新チャンネルプラン情報１７ａ０に基づいて放送受信装置２におけるチャンネルプリセットテーブル２９ａを更新する更新処理の一例について説明する。なお、図８は、放送送信装置１からの更新チャンネルプラン情報１７ａ０に基づいて、放送受信装置２のチャンネルプリセットテーブル２９ａの更新契機を設定するための処理を説明するためのフローチャートであり、放送送信装置１からの更新チャンネルプラン情報１７ａ０を受信する都度起動されるものである。また、図９は、放送受信装置２におけるチャンネルプリセットテーブル２９ａの更新処理を説明するためのフローチャートであり、図３に図示されていないタイマからの時刻情報（更新実施日時への到来を示す時刻情報）をアナログ制御用マイコン２７が受信することにより、あるいは、ユーザ（視聴者）からの更新要求をアナログ制御用マイコン２７が受信することにより起動されるものである。なお、図８及び図９のフローチャートは、地上波アナログ放送用のチャンネルプリセットテーブル２９ａを更新する処理に関連する部分のみについて記載している。
【００８３】
まず、図８のフローチャートを用いて、放送受信装置２のチャンネルプリセットテーブル２９ａに対する更新契機を設定する処理について説明する。
復調・デマルチプレクサ部２５により受信したＢＳデジタル放送信号のトランスポートストリームＴＳ（Ｔｒａｎｓｐｏｒｔ　Ｓｔｒｅａｍ）から付属情報を示すＳＩ（Ｓｅｒｖｉｃｅ　Ｉｎｆｏｍａｔｉｏｎ）情報が抽出分離されて、デジタル制御用メモリ３０の受信バッファ３０ｂに格納されると、デジタル制御用マイコン２８が起動されて、受信バッファ３０ｂに格納されているＳＩ情報が読み出される（ステップＳ１１）。読み出されたＳＩ情報の中に、地上波アナログ放送信号を選局受信する地上波用チューナ２１に関するチャンネルプリセットテーブル２９ａを更新する更新チャンネルプラン情報１７ａ０が含まれているか否かを判別する（ステップＳ１２）。更新チャンネルプラン情報１７ａ０が含まれている場合（ステップＳ１２のＹＥＳ）、該更新チャンネルプラン情報１７ａ０を、通信線２７ａを介してアナログ制御用マイコン２７側に転送し、アナログ制御用メモリ２９の所定領域に格納する（ステップＳ１３）。
【００８４】
一方、アナログ制御用マイコン２７は、更新チャンネルプラン情報１７ａ０が転送されてくると起動される。まず、転送されてきた更新チャンネルプラン情報１７ａ０をアナログ制御用メモリ２９から読み出し（ステップＳ２１）、更新チャンネルプラン情報１７ａ０に含まれている更新用受信装置種別１７ａ１が当該放送受信装置の受信装置種別（即ち、アナログ制御用メモリ２９の受信装置種別２９ｆ）と一致しているか否かが確認される（ステップＳ２２）。更新用受信装置種別１７ａ１が一致している場合（ステップＳ２２のＹＥＳ）、次に、更新チャンネルプラン情報１７ａ０に含まれている更新用地域コード１７ａ２が、当該放送受信装置２の設置地域を示しているか（即ち、アナログ制御用メモリ２９の地域コード２９ｃと一致しているか）を確認する（ステップＳ２３）。ここで、更新用地域コード１７ａ２のみでは放送地域を特定できない場合には、更新用詳細地域コード１７ａ３も転送されてきているので、更新用地域コード１７ａ３が、アナログ制御用メモリ２９の詳細地域コード２９ｄと一致しているかも合わせて確認される。
【００８５】
当該放送受信装置２の設置地域と同一地域を示す更新チャンネルプラン情報１７ａ０であった場合（ステップＳ２３のＹＥＳ）、更に、更新チャンネルプラン情報１７ａ０に含まれている更新バージョン情報１７ａ５が、当該放送受信装置２に設定されているチャンネルプリセットテーブル２９ａのバージョン番号（即ち、アナログ制御用メモリ２９のバージョン番号２９ｂ）よりも新しいバージョンであるか否かが確認される（ステップＳ２４）。新しいバージョンであった場合、即ち、古いかあるいは同じバージョンを示す更新バージョン番号１７ａ５ではなかった場合（ステップＳ２４のＹＥＳ）、転送されてきた更新チャンネルプラン情報１７ａ０に基づいて、チャンネルプランテーブル２９ａを更新すべきであると判断されるので、転送されてきた更新チャンネルプラン情報１７ａ０を、アナログ制御用メモリ２９の更新チャンネルプラン情報２９ｇに設定する（ステップＳ２５）。
【００８６】
しかる後、更新すべき日時が到達した時点で更新処理を起動するように、更新チャンネルプラン情報１７ａ０に含まれている更新実施日時１７ａ４をタイマ（図３には図示していない）に設定する（ステップＳ２６）。更に、地上波アナログ放送用のチャンネルプリセットテーブル２９ａの更新が必要な事態が生起している旨と更新実施日時を予告する情報をユーザ（視聴者）に通知するために、例えば、図３には図示していないＯＳＤ（Ｏｎ　Ｓｃｒｅｅｎ　Ｄｉｓｐｌａｙ）手段により映像表示モニタ３２上に映像信号に重畳させて画面表示したり、音声情報によりスピーカから出力する（ステップＳ２７）。
【００８７】
なお、更新チャンネルプラン情報１７ａ０に含まれている更新用受信装置種別１７ａ１が当該放送受信装置２と異なる場合（ステップＳ２２のＮＯ）、更新用地域コード１７ａ２が当該放送受信装置２の設置地域と異なる場合（ステップＳ２３のＮＯ）、及び、更新バージョン番号１７ａ５が、当該放送受信装置２に設定されているバージョン番号２９ｂよりも古いかあるいは同じバージョンを示している場合（ステップＳ２４のＮＯ）、いずれの場合も、転送されてきた更新チャンネルプラン情報１７ａ０は、当該放送受信装置２にとっては不要な情報であるので、一旦保存していたアナログ制御用メモリ２９の所定領域から削除して廃棄する（ステップＳ２８）。
【００８８】
次に、図９に示すフローチャートにおいて、まず、ステップＳ２６においてタイマに設定されていた更新実施日時に至ったことを、タイマが識別すると、更新実施日時の到来を、アナログ制御用マイコン２７に通知し、チャンネルプリセットテーブル２９ａの更新処理を起動する（ステップＳ３１）。起動されたアナログ制御用マイコン２７は、アナログ制御用メモリ２９に保存されている更新チャンネルプラン情報２９ｇの中から、更新チャンネルプリセット情報２９ｇ１を読み出し、チャンネルポジション毎に、順次、更新用のチャンネル設定情報を読み出す（ステップＳ３２）。読み出したチャンネルポジションに対応するチャンネル設定情報と、現在のプリセット状態を示すチャンネルプリセットテーブル２９ａに設定されている該チャンネルポジションのチャンネル設定情報とを比較して、異なっているか否かを確認する（ステップＳ３３）。
【００８９】
異なっている場合（ステップＳ３３のＹＥＳ）、新たなチャンネル設定情報をプリセットすべきチャンネルポジションを示しているので、まず、当該放送受信装置２において、新たなチャンネル設定情報により十分視聴可能な信号レベルが検知できるか否かを確認する。即ち、更新チャンネルプリセット情報２９ｇ１の当該チャンネルポジションのチャンネル設定情報を、一旦、地上波用チューナ２１に設定して選局動作を行ない（ステップＳ３４）、受信される地上波アナログ放送信号の受信レベルを確認する（ステップＳ３５）。
【００９０】
新築ビルディングの建設などの電波障害物の介在など何らかの理由により、地上波アナログ放送信号の受信レベルが予め定めた閾値が示す値よりも低い、即ち、受信レベルが十分にない場合に備えて、更新チャンネルプラン情報１７ａ０としては、前述のごとく、隣接地域における更新チャンネルプラン情報１７ａ０も同時に送信されてきている。従って、受信放送信号レベルが十分ではない場合は（ステップＳ３５のＮＯ）、隣接地域の更新チャンネルプラン情報１７ａ０の更新チャンネルプリセット情報１７ａ６を用いてチャンネル設定をし直すことにより、地上波用チューナ２１の選局動作に基づく地上波アナログ放送信号の受信レベルが十分になったかを確認し、受信レベルを十分に確保できる隣接地域に関する更新チャンネルプリセット情報１７ａ６のチャンネル設定情報を抽出する（ステップＳ３６）。
【００９１】
一方、受信レベルが予め定めた閾値以上の十分なレベルにある場合（ステップＳ３５のＹＥＳ）、あるいは、隣接地域にて受信レベルが十分なチャンネル設定情報が抽出された場合（ステップＳ３６）、更新チャンネルプリセット情報２９ｇ１の当該チャンネルポジションにおけるチャンネル設定情報又は隣接地域のチャンネル設定情報を用いて、チャンネルプリセットテーブル２９ａの当該チャンネルポジションのチャンネル設定情報を更新する（ステップＳ３７）。
【００９２】
しかる後、全てのチャンネルポジションに関する更新処理が終了したか否かを確認し（ステップＳ３８）、更新処理が全て終了していない場合には（ステップＳ３８のＮＯ）、ステップＳ３２に戻って、次のチャンネルポジションに関する更新処理に移行する。一方、更新処理が全て終了した場合（ステップＳ３８のＹＥＳ）、チャンネルプリセットテーブル２９ａの更新後のバージョン番号を設定するために、更新チャンネルプラン情報２９ｇ内の更新バージョン番号２９ｇ２をバージョン番号２９ｂに設定した後（ステップＳ３９）、チャンネルプリセット情報の更新処理が終了した旨をユーザ（視聴者）に通知する（ステップＳ４０）。
【００９３】
なお、ステップＳ３４乃至Ｓ３６においては、一旦、地上波用チューナ２１への更新候補のチャンネル設定情報を設定して、受信レベルの確認を自動的に行なわせる場合を例示しているが、本発明においては、かかる場合に限るものではない。例えば、当該放送受信装置２が何らかの放送番組を視聴・録画中の状態に設定されている場合には、かかる自動確認動作は実施すべきではなく、ユーザ（視聴者）が受信レベルの自動確認動作を指示している場合に限り実施させることとしても勿論構わなく、ユーザ（視聴者）の指示がなされていない場合においては、直ちにチャンネルプリセットテーブル２９ａの更新処理のみを実施させることとしても良い。
また、ユーザ（視聴者）に対するチャンネルプリセットテーブル２９ａの更新処理の予告通知（ステップＳ２７）や終了通知（ステップＳ４０）も、直ちに映像表示モニタ３２に自動的に画面表示することに限るものではなく、例えば、アナログ制御用メモリ２９内に一旦保存しておき、ユーザ（視聴者）が所望した場合に画面表示したり、音声出力することとしても良い。
【００９４】
また、チャンネルプリセットテーブル２９ａの更新処理は、更新実施日時に到達した場合に起動するタイマ起動動作のみに限るものではなく、例えば、ステップＳ２７に示すチャンネルプリセットテーブル２９ａの更新予告通知などに基づいて、ユーザ（視聴者）が、都合が良い時期に、例えばリモコン３３などを操作して、チャンネルプリセットテーブル２９ａの更新処理を起動することも可能である。かかる場合には、図９のユーザ起動の場合に示すごとく、ユーザ（視聴者）により例えばリモコン３３を操作してチャンネルプリセットテーブル２９ａの更新要求がなされたことが、アナログ制御用マイコン２７に通知されてくると（ステップＳ４１）、アナログ制御用マイコン２７は、ステップＳ３２以降のチャンネルプリセットテーブル２９ａの更新処理を実行する。
【００９５】
更には、図８のステップＳ１２及びＳ１３に示すデジタル制御用マイコン２８側の更新チャンネルプラン情報１７ａ０の転送処理（即ち、ＢＳデジタル放送信号の中に更新チャンネルプラン情報１７ａ０が含まれて受信されていた場合に、受信した更新チャンネルプラン情報１７ａ０をアナログ制御用メモリ２９へ転送する処理）を、ユーザ（視聴者）が転送を許可している場合にのみ実施するような形態として、デジタル制御用マイコン２８の処理負担を軽減するようにしても良い。かかるユーザ（視聴者）の転送許可情報を入力する手段としては、例えば、リモコン３３を操作することにより行なっても良く、受光部３４で受光し、アナログ制御用マイコン２７、通信線２７ａを介することにより、デジタル制御用マイコン２８に対してユーザ（視聴者）の転送許可情報が通知される。
【００９６】
なお、図８及び図９に示すフローチャートにおいては、デジタル制御用マイコン２８とアナログ制御用マイコン２９との処理分担として、デジタル制御用マイコン２８は、ステップＳ１１乃至ステップＳ１３までの処理のみを司り、その他の処理は全てアナログ制御用マイコン２９側で司ることとして示しているが、本発明は、かかる場合のみに限るものではない。即ち、デジタル制御用マイコン２８、アナログ制御用マイコン２９それぞれの処理性能などに応じて、負荷分散することとしても構わないし、あるいは、前述したごとく、両者のマイコン２８，２９を一つのマイコンに統合するようにして、一つのマイコンで処理することとしても良い。
【００９７】
次に、本発明に係る放送受信装置の更に異なる実施形態について、図４を用いて更に説明する。ここで、図４は、本発明に係る放送受信装置２′として、図３の放送受信装置２に更にインタネットなどとの間の通信を可能とする通信制御部３５（図４にハッチング表示している回路部）を新たに追加して備えている場合の構成の一例を示している。
【００９８】
即ち、本実施形態においては、ＢＳデジタル衛星放送を放送する放送送信装置１に前述した更新チャンネルプランテーブル１７ａ（図５に一例を示すごときテーブル）を格納して必要とする更新チャンネルプラン情報１７ａ０の送信処理を行なう代わりに、例えば、地上波アナログ放送を放送する放送局が運営しているインタネット上の放送局サーバ装置に更新チャンネルプランテーブル１７ａを格納して、該放送局サーバ装置が、通信回線に接続されている放送受信装置２′のうち、予め登録されている放送受信装置２′に対して、当該放送受信装置２′に対する更新チャンネルプラン情報１７ａ０の送信処理（即ち、図７のフローチャートに類似する送信処理）を、通信回線を介して実施せんとするものである。
なお、本実施例においては、当然のことながら、放送受信装置２′は、ＢＳデジタル放送を受信する回路部を必ずしも備えている必要はないが、図４には、ＢＳデジタル放送用の受信回路部も用意されている放送受信装置２′の例を示している。
【００９９】
図４に示す場合においては、放送受信装置２′において、放送局サーバ装置から通信回線を介して送信されてくる更新チャンネルプラン情報１７ａ０を通信制御部３５にて受信し、受信した該更新チャンネルプラン情報１７ａ０を、アナログ制御用マイコン２７を介して、アナログ制御用メモリ２９に格納するものであり、以降の更新チャンネルプラン情報１７ａ０によるチャンネルプリセットテーブル２９ａの更新処理は、図８のステップＳ２１乃至ステップＳ２８及び図９のステップＳ３１乃至ステップＳ４１における処理と全く同様の処理を行なうことにより実現される。
【０１００】
なお、図４に示す放送受信装置２′に対して、通信回線を介して、更新チャンネルプラン情報１７ａ０を送信する契機としては、前述の場合と同様に、更新チャンネルプランテーブル１７ａに対して更新設定や追加設定などの更新チャンネルプラン情報１７ａ０の更新がなされた以降、更新実施日時に到達するまでの間、あるいは、更新チャンネルプラン情報１７ａ０の更新実施日時１７ａ４に設定されている日時から、予め定められた期間（例えば、３ヶ月間）分遡った送信開始日時に至った際に、更新実施日時１７ａ４に到達するまでの間、定期的に、放送局サーバ装置に予め登録されている放送受信装置２′に対して通信回線を介して送信することとしても良い。
【０１０１】
また、通信回線に接続されている放送受信装置２′においては、放送受信装置２′の通信制御部３５を介して、当該放送受信装置２′のユーザ（視聴者）は、放送局サーバ装置側に対して何らかの情報を送信することも可能である。従って、例えば、放送局サーバ装置に対して、当該放送受信装置２′が設置されている地域コード２９ｃ（場合によっては、詳細地域コード２９ｄも含む）と放送受信装置種別２９ｆとを含む更新チャンネルプラン情報送信要求を送信することにより、かかる更新チャンネルプラン情報送信要求を受信した放送局サーバ装置が、放送受信装置種別２９ｆにおける地域コード２９ｃ（場合によっては、詳細地域コード２９ｄも含む）に該当する地域のチャンネルプリセットテーブル２９ａを更新する必要性の有無を確認して、チャンネルプリセットテーブル２９ａの更新が必要となる地域に該当している場合には、更新の必要がある旨を示す応答と共に、更新チャンネルプリセット情報を含む図５に示すごとき更新チャンネルプラン情報１７ａ０を返送することも可能である。
【０１０２】
なお、かかる更新チャンネルプラン情報送信要求を用いる場合において返送する更新チャンネルプラン情報１７ａ０としては、前述の場合とは異なり、地域コード２９ｃ（場合によっては、詳細地域コード２９ｄも含む）や受信装置種別２９ｆを伴うことも可能な前記チャンネルプラン情報送信要求に応じて、送信要求元の放送受信装置２′に対して返送するものであり、図５の更新チャンネルプラン情報１７ａ０に含まれている更新用受信装置種別１７ａ１や更新用地域コード１７ａ２（更新用詳細地域コード１７ａ３を含む）を除いた更新実施日時１７ａ４と更新バージョン番号１７ａ５と更新チャンネルプリセット情報１７ａ６とからなる更新チャンネルプラン情報１７ａ０′としても良い。
【０１０３】
また、図４に示す実施形態の場合においては、通信回線を介する通信が可能な通信制御部を備えていない既存の放送受信装置に適用することは困難であるものの、図３に示す実施形態とは異なり、ＢＳデジタル放送を行なっているＢＳデジタル放送局に対して、全く関係がない地上波アナログ放送用の更新チャンネルプリセットテーブルを設定して、必要とする更新チャンネルプラン情報１７ａ０を送信させる処理を行なうことは必要なく、チャンネルプリセットテーブル２９ａの更新を必要とする当該地上波アナログ放送を行なっている地上波放送局自体が運営している放送局サーバ装置そのものから自ら必要とする情報（即ち、更新チャンネルプラン情報１７ａ０）を送信することができるという放送局側のメリットも得ることができる。
【０１０４】
【発明の効果】
以上に説明したごとく、本発明に係る放送受信装置、放送送信装置及び放送システムによれば、地上波アナログ放送とデジタル衛星放送の双方の放送信号を受信することができる放送受信装置の場合、デジタル衛星放送の放送信号を用いて、地上波アナログ放送の選局に用いるチャンネルプリセットテーブルの更新を指示する更新チャンネルプラン情報が全放送地域に対して一斉送信されることにより、該更新チャンネルプラン情報を受信した放送受信装置においてチャンネルプリセットテーブルの更新が必要であることが検知された際に、該更新チャンネルプラン情報に含まれている更新用の更新チャンネルプリセット情報に基づいて、自動的にチャンネルプリセットテーブルを更新することが可能であり、既に設置済みの放送受信装置であっても、かかる更新チャンネルプラン情報を受信することにより、人手を介することなく、自動的に、更新後のチャンネルプリセットテーブルに基づいて、地上波アナログ放送の放送番組を視聴することが可能である。
【０１０５】
また、地上波アナログ放送を受信すると共に通信回線を用いて通信情報を送受信することができる放送受信装置の場合、地上波アナログ放送を放送する放送局が運営しているサーバ装置に通信回線を介してアクセスして、地上波アナログ放送の選局に用いるチャンネルプリセットテーブルの更新を指示する更新チャンネルプラン情報を受信することにより、該更新チャンネルプラン情報を受信した放送受信装置において、自動的にチャンネルプリセットテーブルを更新することが可能であり、既に設置済みの放送受信装置であっても、かかる更新チャンネルプラン情報を受信することにより、人手を介することなく、自動的に、地上波アナログ放送の更新後のチャンネルプリセットテーブルに基づいて、地上波アナログ放送の放送番組を視聴することが可能である。
【０１０６】
また、前記更新チャンネルプラン情報には、更新すべきチャンネル設定情報を有する更新チャンネルプリセット情報のみならず、該更新チャンネルプリセット情報によりチャンネル設定情報を更新すべき放送受信装置の機種を示す更新用放送受信装置種別、及び／又は、更新すべき放送地域を示す更新用地域コード、及び／又は、該更新チャンネルプリセット情報のバージョンを識別するための更新バージョン番号を含むことを可能としており、かかる更新チャンネルプラン情報を受信した放送受信装置においては、更新対象の放送受信装置であるか否か、更新対象の放送地域に設置されているか否か、更新すべきバージョンを示しているか否かを自動的に選別することを可能としており、各放送受信装置が対象とする更新チャンネルプラン情報のみに基づいてチャンネルプリセットテーブルを１回のみならず複数回に亘って自動的に更新することができる。
【０１０７】
更には、前記更新チャンネルプラン情報には、チャンネルプリセットテーブルを更新すべき更新実施日時を含ませることも可能としており、更新すべき日時に至った時点で、確実にチャンネルプリセットテーブルを更新して、更新後のチャンネル設定情報に基づいて、地上波アナログ放送の放送番組を視聴することが可能である。
【図面の簡単な説明】
【図１】本発明に係る放送システムのシステム構成の一例を示すシステム構成図である。
【図２】本発明に係る放送送信装置の構成の一例を示すブロック構成図である。
【図３】本発明に係る放送受信装置の構成の一例を示すブロック構成図である。
【図４】本発明に係る放送受信装置として、図３に示す放送受信装置に更に通信制御部を備えている場合の構成の一例を示すブロック構成図である。
【図５】地上波アナログ放送のチャンネルプリセットテーブルを更新するための更新チャンネルプラン情報が設定登録されている更新チャンネルプランテーブルの一例を示すメモリ構成図である。
【図６】本発明に係る放送受信装置におけるチャンネルプリセット関連情報の記憶内容の一例を示すものである。
【図７】本発明に係る放送送信装置における更新チャンネルプラン情報の送信処理を説明するためのフローチャートである。
【図８】本発明に係る放送送信装置からの更新チャンネルプラン情報に基づいて、放送受信装置のチャンネルプリセットテーブルの更新契機を設定するための処理を説明するためのフローチャートである。
【図９】本発明に係る放送受信装置におけるチャンネルプリセットテーブルの更新処理を説明するためのフローチャートである。
【符号の説明】
１…放送送信装置（ＢＳ放送送信装置）、１ａ…ＢＳ用送信アンテナ、１ｂ…ＢＳ地上放送局、２，２′…放送受信装置（テレビジョン受像機）、２ａ…ＢＳ受信アンテナ、２ｂ…地上波受信アンテナ、２ｃ…家、３…地上波放送送信装置、３ａ…地上波送信アンテナ、３ｂ…地上波放送局、４…ＢＳ放送衛星、５…地上波電波塔（中継局）、１１…ビデオエンコーダ、１２…オーディオエンコーダ、１３…データエンコーダ、１４…多重化部、１５…変調部、１６…制御ＣＰＵ、１７…メモリ、１７ａ…更新チャンネルプランテーブル、１７ａ０，１７ａ０′…更新チャンネルプラン情報、１７ａ１…受信装置種別、１７ａ２…地域コード、１７ａ３…詳細地域コード、１７ａ４…更新実施日時、１７ａ５…更新バージョン番号、１７ａ６…更新チャンネルプリセット情報、１７ｂ…送信バッファ、１８…操作入力部、２１…地上波用チューナ、２２…ＩＦ部、２３ａ…アナログビデオ処理部、２３ｂ…アナログオーディオ処理部、２４…衛星用チューナ、２５…復調・デマルチプレクサ部、２６ａ…デジタルビデオ処理部、２６ｂ…デジタルオーディオ処理部、２７…アナログ制御用マイコン、２７ａ…通信線、２８…デジタル制御用マイコン、２９…アナログ制御用メモリ、２９ａ…チャンネルプリセットテーブル、２９ｂ…バージョン番号、２９ｃ…地域コード、２９ｄ…詳細地域コード、２９ｅ…隣接地域コード、２９ｆ…受信装置種別、２９ｇ…更新チャンネルプラン情報、２９ｇ１…更新チャンネルプリセット情報、２９ｇ２…更新バージョン番号、２９ｇ３…更新実施日時、３０…デジタル制御用メモリ、３０ａ…デジタル用チャンネルプリセットテーブル、３０ｂ…受信バッファ、３１…ビデオ出力部、３２…映像表示モニタ、３３…リモコン、３４…受光部、３５…通信制御部。
【図１】
2004112239.tif 000003
【図２】
2004112239.tif 000004
【図３】
2004112239.tif 000005
【図４】
2004112239.tif 000006
【図５】
2004112239.tif 000007
【図６】
2004112239.tif 000008
【図７】
2004112239.tif 000009
【図８】
2004112239.tif 000010
【図９】
2004112239.tif 000011